(57)【要約】【課題】コンテンツの転送先が駐車場に駐められた車に搭載された車載プレイヤである場合、その停車位置や向きによってコンテンツサーバと車載プレイヤとの間の通信速度が変わるため、コンテンツの転送にかかる時間を正確に把握するのは難しかった。【解決手段】コンテンツをエンコードして移動プレイヤ用コンテンツにするエンコード手段と、エンコード手段でエンコードされた移動プレイヤ用コンテンツを通信により移動プレイヤに転送する通信手段と、通信手段による移動プレイヤ用コンテンツの転送時間を設定する転送時間設定手段と、通信手段による移動プレイヤとの間の通信速度を判定する通信速度判定手段と、を備え、エンコード手段は転送時間設定手段で設定された転送時間と通信速度判定手段で判定された通信速度に基づくサイズになるよう、コンテンツをエンコードする。【選択図】図１
2008022418.tif 000002
【特許請求の範囲】
【請求項１】
移動プレイヤと共に用いられるコンテンツサーバであって、コンテンツをエンコードして移動プレイヤ用コンテンツにするエンコード手段と、前記エンコード手段でエンコードされた移動プレイヤ用コンテンツを通信により前記移動プレイヤに転送する通信手段と、前記通信手段による移動プレイヤ用コンテンツの転送時間を設定する転送時間設定手段と、前記通信手段による前記移動プレイヤとの間の通信速度を判定する通信速度判定手段と、を備え、前記エンコード手段は前記転送時間設定手段で設定された転送時間と前記通信速度判定手段で判定された通信速度に基づくサイズになるよう、コンテンツをエンコードする特徴を持つコンテンツサーバ。
【請求項２】
前記通信速度判定手段は、前記エンコード手段がエンコードを行う際に通信速度を判定する特徴を持つ請求項１記載のコンテンツサーバ。
【請求項３】
前記通信速度判定手段により判定された通信速度の履歴を記憶する通信速度記憶手段をさらに有し、前記通信速度判定手段は、通信速度の判定に失敗すると、前記通信速度記憶手段に記憶された通信速度の履歴の中で最新の通信速度を判定した通信速度として採用する特徴を持つ請求項１記載のコンテンツサーバ。
【請求項４】
移動プレイヤと共に用いられるコンテンツサーバにおけるエンコード方法であって、コンテンツをエンコードして移動プレイヤ用コンテンツにするエンコードステップと、前記エンコードステップでエンコードされた移動プレイヤ用コンテンツを通信により前記移動プレイヤに転送する通信ステップと、前記通信ステップによる移動プレイヤ用コンテンツの転送時間を設定する転送時間設定ステップと、前記通信ステップによる前記移動プレイヤとの間の通信速度を判定する通信速度判定ステップと、を含み、前記エンコードステップは前記転送時間設定ステップで設定された転送時間と前記通信速度判定ステップで判定された通信速度に基づくサイズになるよう、コンテンツをエンコードする特徴を持つエンコード方法。
【発明の詳細な説明】
【技術分野】
【０００１】
本発明は移動プレイヤにコンテンツを送信するコンテンツサーバにおけるエンコード技術に関する。
【背景技術】
【０００２】
従来、車内にて音楽コンテンツや映像コンテンツを楽しむため、家庭内にあるＣＤを録音したＭＤや購入したＤＶＤを車内に持ち込み、車の中で楽しむことが広く行われている。
【０００３】
このような状況の下で、家庭内にあるコンテンツを直接持ち運ぶのではなく、家庭内のコンテンツサーバより、車載プレイヤに通信によりコンテンツを送信するシステムが提案されている。
【０００４】
このシステムを用いることにより、ユーザが自らコンテンツを記録したメディアを車に持ち込む必要がなくなり、ユーザの利便性が向上する。
【特許文献１】特開２００４−３７９８１号公報
【発明の開示】
【発明が解決しようとする課題】
【０００５】
しかしながら従来のコンテンツサーバにおいては、例えば移動プレイヤが駐車場に停められた車に搭載された車載プレイヤである場合、車の駐車位置や向きによってコンテンツサーバと車載プレイヤとの間の通信速度が変わるため、コンテンツの転送にかかる時間を正確に把握するのは難しかった。
【０００６】
本発明は、上記の問題に鑑みてなされたものであり、コンテンツサーバ内のコンテンツを車載プレイヤなどの移動プレイヤに転送する際の転送時間をユーザが予め指定することができ、駐車場に停められた車のように都度転送先との通信速度が異なる場合であっても、コンテンツの転送に要する時間をユーザが正確に把握することができるシステムを提供することを目的とする。
【課題を解決するための手段】
【０００７】
上記課題を解決するため、本発明のコンテンツサーバは、移動プレイヤと共に用いられるコンテンツサーバであって、コンテンツをエンコードして移動プレイヤ用コンテンツにするエンコード手段と、前記エンコード手段でエンコードされた移動プレイヤ用コンテンツを通信により前記移動プレイヤに転送する通信手段と、前記通信手段による移動プレイヤ用コンテンツの転送時間を設定する転送時間設定手段と、前記通信手段による前記移動プレイヤとの間の通信速度を判定する通信速度判定手段と、を備え、前記エンコード手段は前記転送時間設定手段で設定された転送時間と前記通信速度判定手段で判定された通信速度に基づくサイズになるよう、コンテンツをエンコードする特徴を持つ。
【発明の効果】
【０００８】
本発明のコンテンツサーバは、駐車場に停められた車に対して、ユーザが指定した転送時間で転送が行えるよう、コンテンツをエンコードすることができる。
【０００９】
これによって、ユーザは駐車場に停められた車のように都度転送先との通信速度が異なる場合であっても、コンテンツの転送時間を正確に把握することができるという効果が得られる。
【発明を実施するための最良の形態】
【００１０】
以下、本発明の実施の形態を図面を用いて説明する。
【００１１】
図１は本発明の実施形態に係るコンテンツサーバの一例を示すブロック図である。
【００１２】
図１において、コンテンツサーバ１００は、コンテンツ蓄積手段１１０と、エンコード手段１２０と、転送時間設定手段１３０と、通信速度判定手段１４０と、通信手段１５０とを備えている。
【００１３】
コンテンツ蓄積手段１１０は、ユーザが、放送データの録画やネットからのダウンロード、また購入したメディアからのリッピングなどにより取り込んだ映像や音楽などのコンテンツを保存しておく大容量ハードディスクなどの記憶媒体であって、ユーザはこのコンテンツ蓄積手段１１０に保存されたコンテンツの中から所望のコンテンツを選んで、好きなタイミングで再生したり、車載プレイヤに転送したりすることができる。
【００１４】
エンコード手段１２０は、コンテンツ蓄積手段１１０から転送したいコンテンツが選ばれると、そのコンテンツを後出のサイズになるようエンコードする。
【００１５】
転送時間設定手段１３０は、コンテンツを車載プレイヤに転送する際にかける所望の時間を設定する。
通信速度判定手段１４０は、通信手段１５０と車載プレイヤとの間の通信速度を判定する手段であって、例えば短時間のテスト通信などにより通信速度を判定する。
【００１６】
通信手段１５０は、エンコード手段１２０でエンコードされたコンテンツを無線通信などにより車載プレイヤに送信する。
次に、図２のフローチャートを用いて本発明のコンテンツサーバ１００の動作を説明する。
まず始めに、ユーザはコンテンツ蓄積手段１１０に保存されてあるコンテンツの中から車載プレイヤに移動したいコンテンツを選択する（ステップＳ１）。
次にユーザは、転送時間設定手段１３０により、コンテンツの転送にかける所望の転送時間を設定する（ステップＳ２）。ここで、例えばコンテンツの移動が、ユーザが自家用車のエンジンを始動したタイミングで行われる場合、ユーザはエンジン始動からコンテンツの移動が終わるまでの間、移動せずに待機することになるので、待機できる時間をユーザの都合に応じて設定すれば良い。なお、コンテンツの移動タイミングは必ずしもエンジン始動時でなくても良く、例えば任意にユーザが指定したタイミングや、エンコード終了直後であってもよい。
【００１７】
次に、通信速度判定手段１４０は車載用プレイヤと短時間のテスト通信を行う（ステップＳ３）ことにより、通信速度を取得する（ステップＳ５）。
【００１８】
なおこのテスト通信時に通信が確立できなかった場合（ステップＳ４のＮＯ）は、過去の通信確立時に取得された通信速度の履歴を残しておき、その履歴の中から直近のものを採用するようにしてもよい（ステップＳ６）。
【００１９】
次に、エンコード手段１２０は、転送時間設定手段１３０により設定された転送時間と、通信速度判定手段１４０により判定された通信速度をもとに、エンコード後のコンテンツのサイズを算出し（ステップＳ７）、算出したサイズになるようにコンテンツのエンコードを行う（ステップＳ８）。
【００２０】
最後に、エンコードされたコンテンツは、ユーザが指定するタイミングで通信手段１４０により車載プレイヤに転送される（ステップＳ９）。
【００２１】
以上のように、本実施の形態におけるコンテンツサーバは、駐車場に停められた車に対して、ユーザが指定した転送時間で転送が行えるよう、コンテンツをエンコードするので、ユーザは駐車場に停められた車のように都度転送先との通信速度が異なる場合であっても、コンテンツの転送時間を正確に把握することができるという効果が得られる。
【００２２】
なお、本実施例では駐車場にある車の車載プレイヤにコンテンツを転送する場合について例示したが、本発明はこれに限定されるものではなく、例えば他の部屋に置かれた携帯プレイヤに転送する場合など、他のケースにも適用することが可能である。
【産業上の利用可能性】
【００２３】
本発明のコンテンツサーバは、移動体に搭載されるプレイヤにコンテンツを転送するシステムに利用でき、特に車載プレイヤへのコンテンツ転送時に有用である。
【図面の簡単な説明】
【００２４】
【図１】本発明の実施の形態に係るコンテンツサーバ１００のブロック図
【図２】本発明の実施の形態に係るコンテンツサーバ１００の動作を示すフローチャート
【符号の説明】
【００２５】
１００    コンテンツサーバ
１１０    エンコード手段
１２０    通信手段
１３０    通信速度判定手段
１４０    転送時間設定手段
１５０    コンテンツ蓄積手段
【図１】
2008022418.tif 000003
【図２】
2008022418.tif 000004